(57)【要約】      （修正有）【課題】運転者の操作負担なく、実際の外部の周辺環境を考慮して走行方法を自動で切り替えること。【解決手段】現在時刻および現在位置に基づいて、ハイブリッド自動車の走行している周辺環境が電動機による走行に適している環境であるか否かを判定する走行環境判定部３１、車外音のレベルに基づいて電動機による走行に適している環境であるか否かを判定する車外音判定部３２、走行環境判定部３１と車外音判定部３２の両方の判定結果に基づいて電動機による走行が適している環境であるか否かを判定するモータ走行環境判定部３３、車両情報に基づいて電動機による走行が可能であるか否かを判定する車両状態判定部３４と、モータ走行環境判定部３３の判定結果と車両状態判定部３４の判定結果の両方が電動機による走行を許可する場合に電動機による走行を許可するモータ走行許可部３５を有する制御装置とする。【選択図】図２
2014073732.tif 000002
【特許請求の範囲】
【請求項１】
エンジンと電動機とを有し、前記エンジンもしくは前記電動機、または前記エンジンと前記電動機とが協働して走行可能であるハイブリッド自動車の制御装置において、
現在時刻情報および現在位置情報に基づいて、前記ハイブリッド自動車の走行している周辺の環境が前記電動機による走行に適している環境であるか否かを判定する走行環境判定部と、
前記ハイブリッド自動車の外側の音である車外音のレベルに基づいて前記電動機による走行に適している環境であるか否かを判定する車外音判定部と、
前記走行環境判定部と前記車外音判定部の両方の判定結果に基づいて前記電動機による走行が適している環境であるか否かを判定するモータ走行環境判定部と、
前記ハイブリッド自動車の車両情報に基づいて前記電動機による走行が可能であるか否かを判定する車両状態判定部と、
前記モータ走行環境判定部の判定結果が前記電動機による走行が適している環境であり、かつ前記車両状態判定部の判定結果が前記電動機による走行が可能である場合に前記電動機による走行を許可するモータ走行許可部と、
を備えることを特徴とするハイブリッド自動車の制御装置。
【請求項２】
請求項１に記載のハイブリッド自動車の制御装置であって、
前記車外音判定部は、
前記ハイブリッド自動車の外側の音である車外音を集音するための車外音集音手段により車外音を検出すると共に、検出された車外音のレベルが一定のレベル以下である場合に前記電動機による走行に適している環境であると判定することを特徴とするハイブリッド自動車の制御装置。
【請求項３】
請求項１または請求項２に記載のハイブリッド自動車の制御装置であって、
前記車外音判定部は、
前記ハイブリッド自動車の外側の音である車外音を集音するための車外音集音手段により車外音を検出すると共に、検出された車外音からエンジン音の周波数帯のみをカットするバンドパスフィルタを用いて前記エンジン音を除去し、除去後の車外音のレベルが一定のレベル以下である場合に前記電動機による走行に適している環境であると判定することを特徴とするハイブリッド自動車の制御装置。
【請求項４】
請求項１から３のいずれか１項に記載の制御装置を有することを特徴とするハイブリッド自動車。
【請求項５】
エンジンと電動機とを有し、前記エンジンもしくは前記電動機、または前記エンジンと前記電動機とが協働して走行可能であるハイブリッド自動車の制御方法において、
現在時刻情報および現在位置情報に基づいて、前記ハイブリッド自動車の走行している周辺の環境が前記電動機による走行に適している環境であるか否かを判定する走行環境判定ステップと、
前記ハイブリッド自動車の外側の音である車外音のレベルに基づいて前記電動機による走行に適している環境であるか否かを判定する車外音判定ステップと、
前記走行環境判定ステップと前記車外音判定ステップの両方の判定結果に基づいて前記電動機による走行が適している環境であるか否かを判定するモータ走行環境判定ステップと、
前記ハイブリッド自動車の車両情報に基づいて前記電動機による走行が可能であるか否かを判定する車両状態判定ステップと、
前記モータ走行環境判定ステップの判定結果が前記電動機による走行が適している環境であり、かつ前記車両状態判定ステップの判定結果が前記電動機による走行が可能である場合に前記電動機による走行を許可するモータ走行許可ステップと、
を有することを特徴とするハイブリッド自動車の制御方法。
【発明の詳細な説明】
【技術分野】
【０００１】
本発明は、ハイブリッド自動車の制御装置、ハイブリッド自動車およびハイブリッド自動車の制御方法に関する。
【背景技術】
【０００２】
エンジンと電動機とを有し、エンジンもしくは電動機、またはエンジンと電動機とが協働して走行可能であるハイブリッド自動車において、外部の環境条件に適合して、電動機の出力による走行と、エンジンの出力による走行とを自動的に切り替える制御装置が知られている（たとえば特許文献１参照）。
【先行技術文献】
【特許文献】
【０００３】
【特許文献１】特開２０００-３２０３６４号公報
【発明の概要】
【発明が解決しようとする課題】
【０００４】
特許文献１に開示される技術では、市街地走行を指示する外部情報を制御装置が受信すると電動機による走行を許可するように制御している。しかしながら、市街地走行を指示する外部情報はＶＩＣＳセンターから送信されてくる、ある所定の地域単位や所定の時間環境における画一的な外部情報であり、その所定の地域内や所定の時間環境であっても、実際の車外の騒音が大きく、電動機による走行のメリットである静かな走行が活かされない場面であっても電動機による走行が選択されてしまう場合がある。
【０００５】
また、電動機の出力による走行と、エンジンの出力による走行とを運転者がスイッチを操作することによって切り替えるハイブリッド自動車も知られている。しかし、運転者自らが走行方法を切り替える方法は、実際の外部の周辺環境に応じて逐一手動で走行方法を切り替えることになるため、運転者の操作負担になってしまう。
【０００６】
本発明は、このような背景の下に行われたものであって、運転者の操作負担なく、実際の外部の周辺環境を考慮して走行方法を自動で切り替えることができるハイブリッド自動車の制御装置、ハイブリッド自動車およびハイブリッド自動車の制御方法を提供することを目的とする。
【課題を解決するための手段】
【０００７】
本発明のひとつの観点は、ハイブリッド自動車の制御装置としての観点である。本発明のハイブリッド自動車の制御装置は、エンジンと電動機とを有し、エンジンもしくは電動機、またはエンジンと電動機とが協働して走行可能であるハイブリッド自動車の制御装置において、現在時刻情報および現在位置情報に基づいて、ハイブリッド自動車の走行している周辺の環境が電動機による走行に適している環境であるか否かを判定する走行環境判定部と、ハイブリッド自動車の外側の音である車外音のレベルに基づいて電動機による走行に適している環境であるか否かを判定する車外音判定部と、走行環境判定部と車外音判定部の両方の判定結果に基づいて電動機による走行が適している環境であるか否かを判定するモータ走行環境判定部と、ハイブリッド自動車の車両情報に基づいて電動機による走行が可能であるか否かを判定する車両状態判定部と、モータ走行環境判定部の判定結果が電動機による走行が適している環境であり、かつ車両状態判定部の判定結果が電動機による走行が可能である場合に電動機による走行を許可するモータ走行許可部と、を有するものである。
【０００８】
また、車外音判定部は、ハイブリッド自動車の外側の音である車外音を集音するための車外音集音手段により車外音を検出すると共に、検出された車外音のレベルが一定のレベル以下である場合に電動機による走行に適している環境であると判定することができる。
【０００９】
また、車外音判定部は、ハイブリッド自動車の外側の音である車外音を集音するための車外音集音手段により車外音を検出すると共に、検出された車外音からエンジン音の周波数帯のみをカットするバンドパスフィルタを用いてエンジン音を除去し、除去後の車外音のレベルが一定のレベル以下である場合に電動機による走行に適している環境であると判定することができる。
【００１０】
本発明の他の観点は、ハイブリッド自動車としての観点である。本発明のハイブリッド自動車は、上述した本発明のいずれかの制御装置を有するものである。
【００１１】
本発明のさらに他の観点は、ハイブリッド自動車の制御方法としての観点である。本発明のハイブリッド自動車の制御方法は、エンジンと電動機とを有し、エンジンもしくは電動機、またはエンジンと電動機とが協働して走行可能であるハイブリッド自動車の制御方法において、現在時刻情報および現在位置情報に基づいて、ハイブリッド自動車の走行している周辺の環境が電動機による走行に適している環境であるか否かを判定する走行環境判定ステップと、ハイブリッド自動車の外側の音である車外音のレベルに基づいて電動機による走行に適している環境であるか否かを判定する車外音判定ステップと、走行環境判定ステップと車外音判定ステップの両方の判定結果に基づいて電動機による走行が適している環境であるか否かを判定するモータ走行環境判定ステップと、ハイブリッド自動車の車両情報に基づいて電動機による走行が可能であるか否かを判定する車両状態判定ステップと、モータ走行環境判定ステップの判定結果が電動機による走行が適している環境であり、かつ車両状態判定ステップの判定結果が電動機による走行が可能である場合に電動機による走行を許可するモータ走行許可ステップとを有するものである。
【発明の効果】
【００１２】
本発明によれば、運転者の操作負担なく、実際の外部の周辺環境を考慮して走行方法を自動で切り替えることができるハイブリッド自動車の制御装置、ハイブリッド自動車およびハイブリッド自動車の制御方法を提供することができる。
【図面の簡単な説明】
【００１３】
【図１】本発明の一実施の形態のハイブリッド自動車の構成の例を示すブロック図である。
【図２】プログラムを実行するハイブリッドＥＣＵにおいて実現される機能の構成を示すブロック図である。
【図３】図２のハイブリッドＥＣＵにより実行される電動機の走行許可判定処理を示すフローチャートである。
【発明を実施するための形態】
【００１４】
以下、本発明の実施の形態のハイブリッド自動車について、図１〜図３を参照しながら説明する。
【００１５】
（概要について）
図１は、本発明の一実施の形態のハイブリッド自動車１の構成の例を示すブロック図である。ハイブリッド自動車１は、エンジン（内燃機関）１０および／または電動機１３によって駆動される。ハイブリッド自動車１では、現在走行している周辺の環境情報（たとえば住宅街や病院など）に基づく判定と、車両の外の音である車外音のレベルに基づく判定とから電動機１３による走行に適している環境であるのか否かの判定をすると共に、バッテリ１５の状態、運転者の操作情報などの車両情報に基づく判定により電動機１３による走行が許可できる状態であるのか否かについても判定し、これらの判定結果に基づいて最終的に電動機１３による走行を許可するか否かを決定するように制御している。
【００１６】
（ハイブリッド自動車１の構成について）
ハイブリッド自動車１は、エンジン１０、エンジンＥＣＵ（Electronic Control Unit）１１、クラッチ１２、電動機１３、インバータ１４、バッテリ１５、トランスミッション１６、電動機ＥＣＵ１７、ハイブリッドＥＣＵ１８（請求項でいう制御装置）、車輪１９、およびキースイッチ２１を有して構成される。
【００１７】
エンジン１０は、内燃機関の一例であり、エンジンＥＣＵ１１によって制御され、ガソリン、軽油、ＣＮＧ(Compressed Natural Gas)、ＬＰＧ(Liquefied Petroleum Gas)、または代替燃料等を内部で燃焼させて、軸を回転させる動力を発生させ、発生した動力を、電動機１３を介してクラッチ１２に伝達する。
【００１８】
エンジンＥＣＵ１１は、ハイブリッドＥＣＵ１８からの指示に従うことにより、電動機ＥＣＵ１７と連携動作するコンピュータであり、燃料噴射量やバルブタイミングなど、エンジン１０を制御する。たとえば、エンジンＥＣＵ１１は、ＣＰＵ（Central Processing Unit）、ＡＳＩＣ（Application Specific Integrated Circuit）、マイクロプロセッサ（マイクロコンピュータ）、ＤＳＰ（Digital Signal Processor）などにより構成され、内部に、演算部、メモリ、およびＩ／Ｏ（Input/Output）ポートなどを有する。
【００１９】
クラッチ１２は、ハイブリッドＥＣＵ１８によって制御され、エンジン１０からの軸出力を、電動機１３およびトランスミッション１６を介して車輪１９に伝達する。すなわち、クラッチ１２は、ハイブリッドＥＣＵ１８の制御によって、エンジン１０の回転軸と電動機１３の回転軸とを機械的に接続することにより、エンジン１０の軸出力を電動機１３に伝達させたり、または、エンジン１０の回転軸と電動機１３の回転軸との機械的な接続を切断することにより、エンジン１０の軸と、電動機１３の回転軸とが互いに異なる回転速度で回転できるようにする。
【００２０】
たとえば、クラッチ１２は、エンジン１０の動力によってハイブリッド自動車１が走行し、これにより電動機１３に発電させる場合、電動機１３の駆動力によってエンジン１０がアシストされる場合、および電動機１３によってエンジン１０を始動させる場合などに、エンジン１０の回転軸と電動機１３の回転軸とを機械的に接続する。
【００２１】
また、たとえば、クラッチ１２は、エンジン１０が停止またはアイドリング状態にあり、電動機１３の駆動力によってハイブリッド自動車１が走行している場合、およびエンジン１０が停止またはアイドリング状態にあり、ハイブリッド自動車１が減速中または下り坂を走行中であり、電動機１３が発電している（電力回生している）場合、エンジン１０の回転軸と電動機１３の回転軸との機械的な接続を切断する。
【００２２】
なお、クラッチ１２は、運転者がクラッチペダルを操作して動作しているクラッチとは異なるものであり、ハイブリッドＥＣＵ１８の制御によって動作する。
【００２３】
電動機１３は、いわゆる、モータジェネレータであり、インバータ１４から供給された電力により、軸を回転させる動力を発生させて、その軸出力をクラッチ１２を介してトランスミッション１６に供給するか、またはトランスミッション１６からクラッチ１２を介して供給された軸を回転させる動力によって発電し、その電力をインバータ１４に供給する。たとえば、ハイブリッド自動車１が加速しているとき、または定速で走行しているときにおいて、電動機１３は、軸を回転させる動力を発生させて、その軸出力を、クラッチ１２を介してトランスミッション１６に供給し、エンジン１０と協働してハイブリッド自動車１を走行させる。また、たとえば、電動機１３がエンジン１０によって駆動されているとき、またはハイブリッド自動車１が減速しているとき、もしくは下り坂を走行しているときなどにおいて、電動機１３は、発電機として動作し、この場合、トランスミッション１６からクラッチ１２を介して供給された軸を回転させる動力によって発電して、電力をインバータ１４に供給し、バッテリ１５が充電される。このとき、電動機１３は、回生電力に応じた大きさの回生トルクを発生する。
【００２４】
インバータ１４は、電動機ＥＣＵ１７によって制御され、バッテリ１５からの直流電圧を交流電圧に変換するか、または電動機１３からの交流電圧を直流電圧に変換する。電動機１３が動力を発生させる場合、インバータ１４は、バッテリ１５の直流電圧を交流電圧に変換して、電動機１３に電力を供給する。電動機１３が発電する場合、インバータ１４は、電動機１３からの交流電圧を直流電圧に変換する。すなわち、この場合、インバータ１４は、バッテリ１５に直流電圧を供給するための整流器および電圧調整装置としての役割を果たす。
【００２５】
バッテリ１５は、充放電可能な二次電池であり、電動機１３が動力を発生させるとき、電動機１３にインバータ１４を介して電力を供給するか、または電動機１３が発電しているとき、電動機１３が発電する電力によって充電される。バッテリ１５には、適切なＳＯＣの範囲が決められており、ハイブリッドＥＣＵ１８および電動機ＥＣＵ１７によって、ＳＯＣがその範囲を外れないように管理されている。
【００２６】
トランスミッション１６は、ハイブリッドＥＣＵ１８からの変速指示信号に従って、複数のギア比（変速比）のいずれかを選択する半自動トランスミッション（図示せず）を有し、変速比を切り換えて、変速されたエンジン１０の動力および／または電動機１３の動力を車輪１９に伝達する。また、減速しているとき、もしくは下り坂を走行しているときなど、トランスミッション１６は、車輪１９からの動力を電動機１３に伝達する。なお、半自動トランスミッションは、運転者が手動で任意のギア段にギア位置を変更することもできる。
【００２７】
電動機ＥＣＵ１７は、ハイブリッドＥＣＵ１８からの指示に従うことにより、エンジンＥＣＵ１１と連携動作するコンピュータであり、インバータ１４を制御することによって電動機１３を制御する。電動機ＥＣＵ１７は、たとえば、ＣＰＵ、ＡＳＩＣ、マイクロプロセッサ（マイクロコンピュータ）、ＤＳＰなどにより構成され、内部に、演算部、メモリ、およびＩ／Ｏポートなどを有する。
【００２８】
ハイブリッドＥＣＵ１８は、コンピュータの一例であり、ハイブリッド走行のために、アクセルペダル操作情報、ブレーキ操作情報、車速情報、ギア位置情報、エンジン回転速度情報、ＳＯＣ情報、現在時刻情報、ＧＰＳ情報、および車外音情報などを取得する。取得したこれらの情報に基づいて、ハイブリッドＥＣＵ１８は、制御信号を供給することでクラッチ１２およびトランスミッション１６を制御し、電動機ＥＣＵ１７に対して電動機１３およびインバータ１４の制御指示を与え、エンジンＥＣＵ１１に対してエンジン１０の制御指示を与える。本実施例では、後述する複数の判定によって導き出された電動機１３による走行の許可判定結果情報をメモリに保存しておき、この判定結果情報に基づいて走行方法を制御している。ハイブリッドＥＣＵ１８は、たとえば、ＣＰＵ、ＡＳＩＣ、マイクロプロセッサ（マイクロコンピュータ）、ＤＳＰ、ＲＴＣ（Real Time Clock）などにより構成され、内部に、演算部、メモリ、およびＩ／Ｏポートなどを有する。
【００２９】
なお、エンジンＥＣＵ１１、電動機ＥＣＵ１７、およびハイブリッドＥＣＵ１８によって実行されるプログラムは、エンジンＥＣＵ１１、電動機ＥＣＵ１７、およびハイブリッドＥＣＵ１８の内部の不揮発性のメモリにあらかじめ記憶しておくことで、コンピュータであるエンジンＥＣＵ１１、電動機ＥＣＵ１７、およびハイブリッドＥＣＵ１８にあらかじめインストールしておくことができる。
【００３０】
また、エンジンＥＣＵ１１、電動機ＥＣＵ１７、およびハイブリッドＥＣＵ１８は、ＣＡＮ（Control Area Network）などの規格に準拠したバスなどにより相互に接続されている。
【００３１】
車輪１９は、路面に駆動力を伝達する駆動輪である。なお、図１には、１つの車輪１９のみが図示されているが、実際には、ハイブリッド自動車１は、複数の車輪１９を有する。
【００３２】
キースイッチ２１は、運転を開始するときにユーザにより、たとえばキーが差し込まれてＯＮ／ＯＦＦされるスイッチであり、これがＯＮ状態になることによってハイブリッド自動車１の各部は起動し、キースイッチ２１がＯＦＦ状態になることによってハイブリッド自動車１の各部は停止する。
【００３３】
図２は、プログラムを実行するハイブリッドＥＣＵ１８において実現される機能の構成を示すブロック図である。ハイブリッドＥＣＵ１８がプログラムを実行すると、図２に示す制御部３０の各機能が実現される。制御部３０は、走行環境判定部３１、車外音判定部３２、モータ走行環境判定部３３、車両状態判定部３４、およびモータ走行許可部３５から構成される。
【００３４】
走行環境判定部３１は、ＲＴＣから取得した現在時刻情報およびＧＰＳ（Global
Positioning System）などから取得した現在位置情報とから、予め電動機１３による走行が好ましい場面が登録されたデータベース（不図示）を参照して、電動機１３による走行に適している環境であるか否かを判定する。走行環境判定部３１は、たとえばＲＴＣから取得した現在時刻情報に基づいてこのデータベースを参照し、早朝の時間帯（たとえば、午前４時〜６時の時間帯など）であるとか、深夜の時間帯（たとえば、午前０時〜午前３時の時間帯など）であると判明した場合には、電動機１３による走行（ＥＶ走行）に適している環境であると判定する。また、走行環境判定部３１は、ＧＰＳから取得した現在位置情報に基づいてこのデータベースを参照し、走行場所の周辺に住宅街がある、病院がある、教育機関があることが判明した場合には、電動機１３による走行に適している環境であると判定する。なお、本実施例での走行環境判定部３１は、現在時刻情報と現在位置情報の両方の判定結果が電動機１３による走行に適している環境であると判定した場合に、電動機１３による走行に適していると判定するように構成しているが、一方の判定結果のみが電動機１３による走行に適している環境であると判定した場合であっても、最終的な判定結果として電動機１３による走行に適している環境であるとしてもよい。また、このデータベースをデジタルタコグラフ等の管理センターで一括管理しておき、複数のハイブリッド自動車１の間で共有させるシステム構成としてもよい。
【００３５】
走行環境判定部３１は、上述した判定結果情報を後述するモータ走行環境判定部３３へと出力する。たとえば、走行環境判定部３１は、電動機１３による走行に適している環境であると判定した場合にはモータ走行環境判定部３３へ真となる値（たとえば１）を判定結果情報として出力し、電動機１３による走行に適している環境ではないと判定した場合にはモータ走行環境判定部３３へ偽となる値（たとえば０）を判定結果情報として出力する。
【００３６】
車外音判定部３２は、たとえば、車両の外側に設置された車外音集音手段の一例である車外音マイク（図２）で検出された車外音が入力され、その入力された音量レベルが所定のレベル以下（たとえば６０ｄＢ以下、７０ｄＢ以下など）であるか否かによって電動機１３による走行に適している状況であるか否かを判定する。なお、ここでいう車外音判定に用いられる所定のレベルについては、当業者が適宜設定することができると共に、適宜変更することが可能である。
【００３７】
車外音判定部３２は、上述した判定結果情報を後述するモータ走行環境判定部３３へと出力する。たとえば、車外音判定部３２は、電動機１３による走行に適している状況であると判定した場合にはモータ走行環境判定部３３へ真となる値（たとえば１）を判定結果情報として出力し、電動機１３による走行に適している状況ではないと判定した場合にはモータ走行環境判定部３３へ偽となる値（たとえば０）を判定結果情報として出力する。
【００３８】
モータ走行環境判定部３３は、走行環境判定部３１から出力された判定結果情報と、車外音判定部３２から出力された判定結果情報とのＡＮＤ条件（論理積）の結果によって、電動機１３による走行に適している環境であるか否かを判定する。すなわち、走行環境判定部３１から出力された判定結果情報が真の値（１）であり、車外音判定部３２から出力された判定結果情報が真の値（１）である場合には、電動機１３による走行に適している環境であると判定する。一方、走行環境判定部３１から出力された判定結果情報および車外音判定部３２から出力された判定結果情報のいずれか一方、または両方が偽の値（０）である場合には、電動機１３による走行に適している環境ではないと判定する。モータ走行環境判定部３３は、走行環境判定部３１および車外音判定部３２の両方の出力に基づく判定結果情報を、後述するモータ走行許可部３５へと出力する。
【００３９】
車両状態判定部３４は、車両情報から電動機１３による走行を許可できる状態であるか否かを判定する。なお、ここでいう車両情報とは、たとえばアクセルペダル操作情報、ブレーキ操作情報、車速情報、ギア位置情報、エンジン回転速度情報、ＳＯＣ情報などである。車両状態判定部３４は、車両情報に基づく判定結果情報を後述するモータ走行許可部３５へと出力する。なお、車両状態判定部３４の判定結果情報として出力する値については、上述した走行環境判定部３１、車外音判定部３２、モータ走行環境判定部３３と同様であるため、説明を省略する。
【００４０】
モータ走行許可部３５は、上述したモータ走行環境判定部３３から出力される判定結果情報と、車両状態判定部３４から出力される判定結果情報のＡＮＤ条件（論理積）の結果によって、最終的に電動機１３による走行を許可するか否かを判定する。そして、モータ走行許可部３５は、両方の判定結果情報のＡＮＤ条件の結果が電動機１３による走行に適している状況である場合には、メモリに電動機１３による走行を許可する状態を保存すると共に、電動機ＥＣＵ１７に電動機制御指示を行って、電動機１３による走行を許可する。これにより電動機ＥＣＵ１７の制御により電動機１３による走行が開始される。
【００４１】
一方、モータ走行許可部３５は、両方の判定結果情報のＡＮＤ条件の結果が電動機１３による走行に適していない状況である場合には、メモリに電動機１３による走行を不許可とする状態を保存すると共に、電動機ＥＣＵ１７に電動機制御指示を行って、電動機１３による走行を禁止する。これにより電動機ＥＣＵ１７の制御により電動機１３による走行が禁止される。
【００４２】
（ハイブリッドＥＣＵ１８の動作について）
次に、図３のフローチャートを参照して、プログラムを実行するハイブリッドＥＣＵ１８において行われる電動機１３による走行許可判定処理について説明する。なお、図３のステップＳ１〜Ｓ９の手続きによる処理は１周期分の処理であり、キースイッチ２１がＯＮ状態である限り、この処理は定期的に、あるいは所定のタイミングにて繰り返し実行されるものとする。
【００４３】
図３の「ＳＴＡＲＴ」では、キースイッチ２１がＯＮ状態であり、ハイブリッドＥＣＵ１８がプログラムを実行し、ハイブリッドＥＣＵ１８に制御部３０の各機能が実現されている状態である。
【００４４】
ステップＳ１において、制御部３０はハイブリッド自動車１の走行環境判定を実行する。具体的には、制御部３０の走行環境判定部３１が、ＲＴＣから取得した現在時刻情報と、ＧＰＳから取得した現在位置情報に基づいて、予め電動機１３による走行が好ましい場面が登録されたデータベース（不図示）を参照して電動機１３による走行（以下、ＥＶ走行という。）に適している環境であるか否かを判定する。そして、このステップＳ１の判定結果情報は、一時的にメモリに保存しておく。
【００４５】
ステップＳ２において、制御部３０はハイブリッド自動車１の車外音判定を実行する。
具体的には、制御部３０の車外音判定部３２が、車両の外側に設置された車外音マイクで検出された車外音の音量レベルが所定のレベル以下であるか否かによりＥＶ走行に適している環境であるか否かを判定する。そして、このステップＳ２の判定結果情報は、一時的にメモリに保存しておく。
【００４６】
ステップＳ３において、制御部３０は、ステップＳ１の判定結果とステップＳ２の判定結果の両方に基づいてＥＶ走行に適している環境であるか否かを判定する。具体的には、制御部３０のモータ走行環境判定部３３が、ステップＳ１の判定結果情報とステップＳ２の判定結果情報のＡＮＤ条件（論理積）でＥＶ走行に適している環境であるか否かを判定する。ステップＳ３の判定でＥＶ走行に適している環境であると判定されると、モータ走行環境判定部３３は、ＥＶ走行を許可する状態を示す情報をメモリに保存して（ステップＳ４）、ステップＳ６の判定へ移行する。一方、ステップＳ３において、ＥＶ走行に適している環境ではないと判定された場合、モータ走行環境判定部３３は、ＥＶ走行を許可しない状態を示す情報をメモリに保存して（ステップＳ５）、ステップＳ６の判定へ移行する。
【００４７】
ステップＳ６において、制御部３０は、ハイブリッド自動車１の車両状態判定を実行する。具体的には、制御部３０の車両状態判定部３４は、アクセルペダル操作情報、ブレーキ操作情報、車速情報、ギア位置情報、エンジン回転速度情報、ＳＯＣ情報などの車両情報からＥＶ走行を許可できる状態であるか否かを判定する。車両状態判定部３４は、たとえば、ＳＯＣ情報からバッテリ１５の残容量が所定のレベルにない場合にはＥＶ走行を許可できる状態ではないと判定する。そして、このステップＳ６の判定結果情報は、一時的にメモリに保存しておく。
【００４８】
ステップＳ７において、制御部３０は、ステップＳ３の判定結果とステップＳ６の判定結果に基づいて最終的にＥＶ走行を許可するか否かを判定する。具体的には、制御部３０のモータ走行許可部３５は、メモリに一時的に保存されているステップＳ３の判定結果情報とステップＳ６の判定結果情報を参照して、これらのＡＮＤ条件（論理積）によりＥＶ走行を許可するか否かを判定する。モータ走行許可部３５は、ステップＳ６の判定がＥＶ走行を許可できる状態である場合には、ＥＶ走行を許可する状態を示す情報をメモリに保存して（ステップＳ８）、１周期分の処理を終了する（ＥＮＤ）。
【００４９】
一方、ステップＳ７において、ステップＳ６の判定がＥＶ走行を許可できる状態ではないと判定されると、モータ走行許可部３５は、ＥＶ走行を許可しない状態を示す情報をメモリに保存して（ステップＳ９）、１周期分の処理を終了する（ＥＮＤ）。
【００５０】
なお、上述したステップＳ１の処理とステップＳ２の処理の順番は逆であってもよい。また、ステップＳ５の判定後は、ステップＳ６の判定処理を行わずに、ステップＳ９のＥＶ走行を不許可とする状態を示す情報をメモリに保存して処理を終了するようにしてもよい。
【００５１】
（効果について）
以上のように、ハイブリッド自動車１の制御装置としての制御部３０は、現在時刻情報および現在位置情報に基づいて、ハイブリッド自動車１の走行している周辺の環境が電動機１３による走行に適している環境であるか否かを判定する走行環境判定部３１と、ハイブリッド自動車１の外側の音である車外音のレベルに基づいて電動機１３による走行に適している環境であるか否かを判定する車外音判定部３２と、走行環境判定部３１と車外音判定部３２の両方の判定結果に基づいて電動機１３による走行が適している環境であるか否かを判定するモータ走行環境判定部３３と、ハイブリッド自動車１の車両情報に基づいて電動機１３による走行が可能であるか否かを判定する車両状態判定部３４と、モータ走行環境判定部３３の判定結果が電動機１３による走行が適している環境であり、かつ車両状態判定部３４の判定結果が電動機１３による走行が可能である場合に電動機１３による走行を許可するモータ走行許可部３５とを有するように構成しているため、自車の走行している周辺環境と、実際の周辺環境における車外音のレベルと、車両の状態のすべてを考慮したうえで、ＥＶ走行を許可する状態としたり、許可しない状態としたりすることができる。
【００５２】
すなわち、市街地等であっても実際の車外の騒音等が大きく、電動機１３による走行のメリットである静かな走行が活かされない場面においては、車外音判定部３２の判定結果が考慮されて、電動機１３による走行に切り替えられてしまうことがなく、適切な走行方法が選択されることになる。また、このような制御により、運転者が手動で走行方法を切り替えなくとも、走行方法を自動で切り替えることができる。
【００５３】
（その他の実施の形態）
上述の実施の形態において、ハイブリッド自動車１の外側の音である車外音に、エンジン音が含まれてしまい、車外音が適切に判定されない可能性がある。その場合には、ハイブリッド自動車１の外側の音である車外音を集音するための車外音集音手段である車外音マイクにより車外音を検出すると共に、検出された車外音からエンジン音の周波数帯のみをカットするバンドパスフィルタを用いてエンジン音を除去し、除去後の車外音のレベルが一定のレベル以下である場合に電動機１３による走行が適している環境であるか否かを判定するようにしてもよい。これにより、車外音から自己のエンジン音の影響を極力排除した上で、ＥＶ走行に適している環境であるのか否かの判定をすることができる。なお、このような方法以外にも、エンジン１０が停止しているタイミング（たとえばアイドリングストップなど）における車外音に基づいて判定する方法であってもよい。この場合には、上述したバンドパスフィルタを構成する必要はない。
【００５４】
また、上述したモータ走行環境判定部３３では、走行環境判定部３１から出力された判定結果情報と、車外音判定部３２から出力された判定結果情報とのＡＮＤ条件（論理積）の結果によって、電動機１３による走行に適している環境であるか否かを判定しているが、たとえば、走行環境判定部３１から出力された判定結果情報および車外音判定部３２から出力された判定結果情報のいずれかの情報を優先して判断するようにしてもよい。たとえば、車外音判定部３２から出力された判定結果情報を優先する場合、走行している場所に関係なく、所定の音量レベル以下の場合にのみ電動機１３による走行が許可されるようになる。なお、この場合、単純に走行環境判定部３１を設けずに、車外音判定部３２の判定結果のみを有する構成としても同様の効果が得られる。
【００５５】
また、エンジン１０は、内燃機関であると説明したが、外燃機関を含む熱機関であってもよい。
【００５６】
また、ハイブリッドＥＣＵ１８によって実行されるプログラムは、ハイブリッドＥＣＵ１８にあらかじめインストールされると説明したが、プログラムが記録されている（プログラムを記憶している）リムーバブルメディアを図示せぬドライブなどに装着し、リムーバブルメディアから読み出したプログラムをハイブリッドＥＣＵ１８の内部の不揮発性のメモリに記憶することにより、または、有線または無線の伝送媒体を介して送信されてきたプログラムを、図示せぬ通信部で受信し、ハイブリッドＥＣＵ１８の内部の不揮発性のメモリに記憶することで、コンピュータであるハイブリッドＥＣＵ１８にインストールすることができる。
【００５７】
また、各ＥＣＵは、これらを１つにまとめたＥＣＵにより実現してもよいし、あるいは、各ＥＣＵの機能をさらに細分化したＥＣＵを新たに設けてもよい。
【００５８】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００５９】
また、本発明の実施の形態は、上述した実施の形態に限定されるものではなく、本発明の要旨を逸脱しない範囲において種々の変更が可能である。
【符号の説明】
【００６０】
１…ハイブリッド自動車、１８…ハイブリッドＥＣＵ（制御装置）、３０…制御部、３１…走行環境判定部、３１…車外音判定部、３３…モータ走行環境判定部、３４…車両状態判定部、３５…モータ走行許可部
【図１】
2014073732.tif 000003
【図２】
2014073732.tif 000004
【図３】
2014073732.tif 000005